(57)【要約】【課題】電極の劣化を防止できる電気泳動表示装置の駆動方法を提供する。【解決手段】本発明の電気泳動表示装置の駆動方法は、一対の基板間に電気泳動素子を挟持してなり、一方の前記基板の前記電気泳動素子側に形成された第１電極と、他方の前記基板の前記電気泳動素子側に形成された第２電極とを備えた電気泳動表示装置の駆動方法であって、反射率が最小となる第１の階調を表示する単位期間におけるリーク電力と、反射率が最大となる第２の階調を表示する単位期間におけるリーク電力とを、前記単位期間における前記電気泳動素子の駆動電圧と電圧印加時間の少なくとも一方により調整し、前記リーク電力をほぼ等しくすることを特徴とする。【選択図】図７
2010204628.tif 000002
【特許請求の範囲】
【請求項１】
一対の基板間に電気泳動素子を挟持してなり、一方の前記基板の前記電気泳動素子側に形成された第１電極と、他方の前記基板の前記電気泳動素子側に形成された第２電極とを備えた電気泳動表示装置の駆動方法であって、
反射率が最小となる第１の階調を表示する単位期間におけるリーク電力と、反射率が最大となる第２の階調を表示する単位期間におけるリーク電力とを、前記単位期間における前記電気泳動素子の駆動電圧と電圧印加時間の少なくとも一方により調整し、前記リーク電力をほぼ等しくすることを特徴とする電気泳動表示装置の駆動方法。
【請求項２】
前記駆動電圧及び前記電圧印加時間を、環境温度に基づいて設定することを特徴とする請求項１に記載の電気泳動表示装置の駆動方法。
【請求項３】
前記駆動電圧及び前記電圧印加時間を、前記第１及び第２電極間のリーク電流値に基づいて設定することを特徴とする請求項１に記載の電気泳動表示装置の駆動方法。
【請求項４】
一対の基板間に電気泳動素子を挟持してなり、一方の前記基板の前記電気泳動素子側に形成された複数の第１電極と、他方の前記基板の前記電気泳動素子側に透明導電材料を用いて形成され、複数の前記第１電極と対向する第２電極と、を備えた電気泳動表示装置の駆動方法であって、
反射率が最小となる第１の階調又は反射率が最大となる第２の階調を表示する単位期間におけるそれぞれのリーク電力のうち、前記第２電極が前記第１電極に対して高電位となるときの前記リーク電力を、前記第１電極が前記第２電極に対して高電位となるときの前記リーク電力よりも大きくすることを特徴とする電気泳動表示装置の駆動方法。
【請求項５】
前記第２電極が前記第１電極に対して高電位となるときの前記電気泳動素子に対する第１の入力電力が、前記第１電極が前記第２電極に対して高電位となるときの前記電気泳動素子に対する第２の入力電力よりも大きく、かつ前記第１の入力電力と前記第２の入力電力とが一定の比率であることを特徴とする請求項４に記載の電気泳動表示装置の駆動方法。
【請求項６】
所定の環境温度において前記第２電極が前記第１電極に対して高電位となるときの前記リーク電力と前記第１電極が前記第２電極に対して高電位となるときの前記リーク電力とが等しくなるように、前記比率を設定することを特徴とする請求項５に記載の電気泳動表示装置の駆動方法。
【請求項７】
前記リーク電力の関係を、当該電気泳動表示装置の使用温度範囲において設定することを特徴とする請求項６に記載の電気泳動表示装置の駆動方法。
【請求項８】
一対の基板間に電気泳動素子を挟持してなり、一方の前記基板の前記電気泳動素子側に形成された第１電極と、他方の前記基板の前記電気泳動素子側に形成された第２電極とを備えた電気泳動表示装置の駆動方法であって、
反射率が最小となる第１の階調を表示する単位期間における前記電気泳動素子の駆動電圧と電圧印加時間の積と、反射率が最大となる第２の階調を表示する単位期間における前記電気泳動素子の駆動電圧と電圧印加時間の積と、を異ならせることを特徴とする電気泳動表示装置の駆動方法。
【請求項９】
一対の基板間に電気泳動素子を挟持してなり、一方の前記基板の前記電気泳動素子側に形成された第１電極と、他方の前記基板の前記電気泳動素子側に形成された第２電極とを備えた電気泳動表示装置であって、
前記電気泳動素子の駆動電圧と電圧印加時間の少なくとも一方を制御し、反射率が最小となる第１の階調を表示する単位期間におけるリーク電力と、反射率が最大となる第２の階調を表示する単位期間におけるリーク電力とをほぼ等しく調整する制御部を備えたことを特徴とする電気泳動表示装置。
【請求項１０】
環境温度を検出する温度検出部と、
前記電気泳動素子の駆動電圧と電圧印加時間の少なくとも一方と前記環境温度とを関連づける演算部又はテーブルと、
を有することを特徴とする請求項９に記載の電気泳動表示装置。
【請求項１１】
前記第１及び第２電極間に流れるリーク電流値を測定する電流測定部と、
前記電気泳動素子の駆動電圧と電圧印加時間の少なくとも一方と前記リーク電流値とを関連づける演算部又はテーブルと、
を有することを特徴とする請求項９に記載の電気泳動表示装置。
【請求項１２】
一対の基板間に電気泳動素子を挟持してなり、一方の前記基板の前記電気泳動素子側に形成された複数の第１電極と、他方の前記基板の前記電気泳動素子側に透明導電材料を用いて形成され、複数の前記第１電極と対向する第２電極と、を備えた電気泳動表示装置であって、
反射率が最小となる第１の階調又は反射率が最大となる第２の階調を表示する単位期間におけるそれぞれのリーク電力のうち、前記第２電極が前記第１電極に対して高電位となるときの前記リーク電力が、前記第１電極が前記第２電極に対して高電位となるときの前記リーク電力よりも大きいことを特徴とする電気泳動表示装置。
【請求項１３】
一対の基板間に電気泳動素子を挟持してなり、一方の前記基板の前記電気泳動素子側に形成された第１電極と、他方の前記基板の前記電気泳動素子側に形成された第２電極とを備えた電気泳動表示装置であって、
反射率が最小となる第１の階調を表示する単位期間における前記電気泳動素子の駆動電圧と電圧印加時間の積と、反射率が最大となる第２の階調を表示する単位期間における前記電気泳動素子の駆動電圧と電圧印加時間の積と、が異なることを特徴とする電気泳動表示装置。
【請求項１４】
請求項９から１３のいずれか１項に記載の電気泳動表示装置を備えたことを特徴とする電子機器。
【発明の詳細な説明】
【技術分野】
【０００１】
本発明は、電気泳動表示装置の駆動方法、電気泳動表示装置、及び電子機器に関するものである。
【背景技術】
【０００２】
電気泳動表示装置として、一対の基板間に設けられた空間に、帯電粒子（電気泳動粒子）と分散媒とからなる電気泳動素子を挟持した方式のものが知られている。この種の電気泳動表示装置では、電気泳動粒子の移動速度が温度に依存する。そのため、低温環境において電気泳動素子に対する駆動電圧の延べ印加時間を延ばしたり（例えば特許文献１参照）、表示の保持性能を確保するために書き込みをある期間ごとに繰り返す動作を実行することが行われていた（例えば特許文献２，３参照）。
【先行技術文献】
【特許文献】
【０００３】
【特許文献１】特表２００７−５０１４３６号公報
【特許文献２】特開２００７−１８７９３６号公報
【特許文献３】特開２００７−１８７９３８号公報
【発明の概要】
【発明が解決しようとする課題】
【０００４】
上記先行技術文献に記載の技術によれば、温度変化に伴う帯電粒子の移動速度変化を補償することができる。しかしながら、本発明者らの研究により、使用環境の温度が変化すると、白表示を行う際の電流値と黒表示を行う際の電流値との差異が大きくなり、電流バランスが大きく崩れてしまう場合があることが新たに判明した。
【０００５】
図９は、環境温度とリーク電力との関係の一例を示すグラフである。図１０は、環境温度−５℃、７０℃、１１０℃における白表示及び黒表示時のリーク電流値の測定結果を示すグラフである。図９に示すグラフは、図１０に示す各グラフにおけるリーク電流値の積分値（リーク電力）を各環境温度に対してプロットしたものである。図９に示すように、環境温度が高くなるほど、白表示のリーク電力と黒表示のリーク電力の差が大きくなっている。
【０００６】
このように白表示と黒表示との電流バランスが崩れると、電気泳動素子や電極に特定方向の電流が多く流れ、電気泳動素子や電極が劣化しやすくなる。図９及び図１０の例では、電気泳動表示装置の表示面側に設けられたＩＴＯ（インジウム錫酸化物）電極から、表示面と反対側の基板の電極に向かって電流が多く流れる。そして、この電流による還元作用によってＩＴＯ電極に不純物成分が付着して着色される等の劣化が生じる。このような問題点は、少なくとも、ＩＴＯ等からなる還元されやすい電極を有する電気泳動表示装置において生じうる。また、上記問題点は、黒表示時のリーク電力が相対的に大きい場合のみならず、白表示時のリーク電力が相対的に大きい場合であっても生じうる。
【０００７】
本発明は、上記従来技術の問題点に鑑み成されたものであって、電極の劣化を防止できる電気泳動表示装置の駆動方法、及び電気泳動表示装置を提供することを目的の一つとする。
【課題を解決するための手段】
【０００８】
本発明の電気泳動表示装置の駆動方法は、一対の基板間に電気泳動素子を挟持してなり、一方の前記基板の前記電気泳動素子側に形成された第１電極と、他方の前記基板の前記電気泳動素子側に形成された第２電極とを備えた電気泳動表示装置の駆動方法であって、反射率が最小となる第１の階調を表示する単位期間におけるリーク電力と、反射率が最大となる第２の階調を表示する単位期間におけるリーク電力とを、前記単位期間における前記電気泳動素子の駆動電圧と電圧印加時間の少なくとも一方により調整し、前記リーク電力をほぼ等しくすることを特徴とする。
【０００９】
この駆動方法によれば、電気泳動素子の駆動電圧と電圧印加時間の少なくとも一方によりリーク電力をほぼ等しく調整するので、第１電極と第２電極との間で一方向に電流が多く流れるのを防止することができる。これにより、温度変化により加速される電極の劣化を防止することができる。
【００１０】
前記駆動電圧及び前記電圧印加時間を、環境温度に基づいて設定することが好ましい。
このような駆動方法とすることで、環境温度の変化に伴って変化するリーク電力の差異を確実に解消することができ、電極の劣化をさらに効果的に防止することができる。
【００１１】
前記駆動電圧及び前記電圧印加時間を、前記第１及び第２電極間のリーク電流値に基づいて設定することが好ましい。
このような駆動方法とすれば、リーク電流値に基づいて直接リーク電力を調整することが可能になり、電極の劣化を効果的に防止することができる。
【００１２】
本発明の電気泳動表示装置の駆動方法は、一対の基板間に電気泳動素子を挟持してなり、一方の前記基板の前記電気泳動素子側に形成された複数の第１電極と、他方の前記基板の前記電気泳動素子側に透明導電材料を用いて形成され、複数の前記第１電極と対向する第２電極と、を備えた電気泳動表示装置の駆動方法であって、反射率が最小となる第１の階調又は反射率が最大となる第２の階調を表示する単位期間におけるそれぞれのリーク電力のうち、前記第２電極が前記第１電極に対して高電位となるときの前記リーク電力を、前記第１電極が前記第２電極に対して高電位となるときの前記リーク電力よりも大きくすることを特徴とする。
【００１３】
このような駆動方法とすれば、透明導電材料を用いて形成された第２電極において還元反応が生じるのを抑えることができる。これにより、第２電極の劣化を防止することが可能である。また、駆動電圧や電圧印加時間を経時的に変化させる必要がないため、簡素な構成で実行可能な駆動方法となる。
【００１４】
前記第２電極が前記第１電極に対して高電位となるときの前記電気泳動素子に対する第１の入力電力が、前記第１電極が前記第２電極に対して高電位となるときの前記電気泳動素子に対する第２の入力電力よりも大きく、かつ前記第１の入力電力と前記第２の入力電力とが一定の比率であることが好ましい。
このような駆動方法とすれば、入力電力の比率を設定するという簡便な操作を実行するのみで第２電極の劣化を防止することができる。
【００１５】
所定の環境温度において前記第２電極が前記第１電極に対して高電位となるときの前記リーク電力と前記第１電極が前記第２電極に対して高電位となるときの前記リーク電力とが等しくなるように、前記比率を設定することが好ましい。
このような駆動方法とすれば、上記所定の環境温度以下の温度範囲において第２電極の劣化を防止することができる。
【００１６】
前記リーク電力の関係を、当該電気泳動表示装置の使用温度範囲において設定することが好ましい。
このような駆動方法とすれば、使用される環境温度の全域において第２電極の劣化を防止できる駆動方法となる。
【００１７】
本発明の電気泳動表示装置の駆動方法は、一対の基板間に電気泳動素子を挟持してなり、一方の前記基板の前記電気泳動素子側に形成された第１電極と、他方の前記基板の前記電気泳動素子側に形成された第２電極とを備えた電気泳動表示装置の駆動方法であって、反射率が最小となる第１の階調を表示する単位期間における前記電気泳動素子の駆動電圧と電圧印加時間の積と、反射率が最大となる第２の階調を表示する単位期間における前記電気泳動素子の駆動電圧と電圧印加時間の積と、を異ならせることを特徴とする。
このように、駆動電圧時間と電圧印加時間の積を、第１の階調を表示するときと第２の階調を表示するときとで異ならせることで、第１の階調を表示するときのリーク電力と第２の階調を表示するときのリーク電力を等しくすることが可能である。これにより、電極の劣化を防止することができる。
【００１８】
本発明の電気泳動表示装置は、一対の基板間に電気泳動素子を挟持してなり、一方の前記基板の前記電気泳動素子側に形成された第１電極と、他方の前記基板の前記電気泳動素子側に形成された第２電極とを備えた電気泳動表示装置であって、前記電気泳動素子の駆動電圧と電圧印加時間の少なくとも一方を制御し、反射率が最小となる第１の階調を表示する単位期間におけるリーク電力と、反射率が最大となる第２の階調を表示する単位期間におけるリーク電力とをほぼ等しく調整する制御部を備えたことを特徴とする。
【００１９】
この構成によれば、制御部によりリーク電力をほぼ等しく制御することができるため、第１電極と第２電極との間で一方向に電流が多く流れるのを防止することができ、電極の劣化を防止することができる電気泳動表示装置となる。
【００２０】
環境温度を検出する温度検出部と、前記電気泳動素子の駆動電圧と電圧印加時間の少なくとも一方と前記環境温度とを関連づける演算部又はテーブルと、を有することが好ましい。
この構成によれば、環境温度の変化に伴って変化するリーク電力の差異を確実に解消することができ、電極の劣化をさらに効果的に防止することができる。
【００２１】
前記第１及び第２電極間に流れるリーク電流値を測定する電流測定部と、前記電気泳動素子の駆動電圧と電圧印加時間の少なくとも一方と前記リーク電流値とを関連づける演算部又はテーブルと、を有することが好ましい。
この構成によれば、リーク電流値に基づいて直接リーク電力を調整することが可能になり、電極の劣化を効果的に防止することができる。
【００２２】
本発明の電気泳動表示装置は、一対の基板間に電気泳動素子を挟持してなり、一方の前記基板の前記電気泳動素子側に形成された複数の第１電極と、他方の前記基板の前記電気泳動素子側に透明導電材料を用いて形成され、複数の前記第１電極と対向する第２電極と、を備えた電気泳動表示装置であって、反射率が最小となる第１の階調又は反射率が最大となる第２の階調を表示する単位期間におけるそれぞれのリーク電力のうち、前記第２電極が前記第１電極に対して高電位となるときの前記リーク電力が、前記第１電極が前記第２電極に対して高電位となるときの前記リーク電力よりも大きいことを特徴とする。
【００２３】
この構成によれば、透明導電材料を用いて形成された第２電極において還元反応が生じるのを抑えることができる。これにより、第２電極の劣化を防止することが可能である。また、駆動電圧や電圧印加時間を経時的に変化させる必要がないため、簡素な構成とすることができ、安価に提供可能な電気泳動表示装置となる。
【００２４】
本発明の電気泳動表示装置は、一対の基板間に電気泳動素子を挟持してなり、一方の前記基板の前記電気泳動素子側に形成された第１電極と、他方の前記基板の前記電気泳動素子側に形成された第２電極とを備えた電気泳動表示装置であって、反射率が最小となる第１の階調を表示する単位期間における前記電気泳動素子の駆動電圧と電圧印加時間の積と、反射率が最大となる第２の階調を表示する単位期間における前記電気泳動素子の駆動電圧と電圧印加時間の積と、が異なることを特徴とする。
このように、駆動電圧時間と電圧印加時間の積を、第１の階調を表示するときと第２の階調を表示するときとで異ならせることで、第１の階調を表示するときのリーク電力と第２の階調を表示するときのリーク電力を等しくすることが可能である。これにより、電極の劣化を防止することができる。
【００２５】
本発明の電子機器は、先に記載の電気泳動表示装置を備えたことを特徴とする。
この構成によれば、信頼性に優れた表示手段を具備した電子機器を提供することができる。
【図面の簡単な説明】
【００２６】
【図１】実施形態に係る電気泳動表示装置の概略構成図。
【図２】実施形態に係る電気泳動表示装置の要部の断面構造を示す図。
【図３】電気泳動表示装置の動作説明図。
【図４】実施形態の電気泳動表示装置のブロック図。
【図５】実施形態に係る駆動方法を示すフローチャート。
【図６】実施形態に係る駆動方法による画素の遷移状態を示す説明図。
【図７】駆動波形の構成例を示す図。
【図８】駆動波形の構成例を示す図。
【図９】環境温度とリーク電力の関係を示すグラフ。
【図１０】環境温度ごとのリーク電流値を示すグラフ。
【図１１】電子機器の一例を示す図。
【図１２】電子機器の一例を示す図。
【図１３】電子機器の一例を示す図。
【図１４】環境温度とリーク電力の関係を示す説明図。
【図１５】変形例３における入力波形の複数の態様を示す図。
【図１６】環境温度と入力電力の関係を示す図。
【発明を実施するための形態】
【００２７】
以下、図面を用いて本発明の電気泳動表示装置とその駆動方法について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせている。
【００２８】
図１は、本発明の実施の形態に係る電気泳動表示装置１００の概略構成図である。図２（ａ）は、電気泳動表示装置１００の断面構造とともに電気的構成を示した図である。
【００２９】
電気泳動表示装置１００は、複数の画素（セグメント）４０が配置された表示部５と、コントローラー６３（制御部）と、コントローラー６３と接続された画素電極駆動回路６０とを備えている。画素電極駆動回路６０は、それぞれの画素４０と画素電極配線６１を介して接続されている。また、表示部５には、各々の画素４０に共通の共通電極３７（図２参照）が設けられている。なお、図１では共通電極３７を便宜的に配線として表示している。
電気泳動表示装置１００は、コントローラー６３から画素電極駆動回路６０に画像データを転送し、かかる画像データに基づく電位を、個々の画素４０に直接入力するセグメント駆動方式の電気泳動表示装置である。
【００３０】
図２（ａ）に示すように、電気泳動表示装置１００の表示部５は、第１基板３０と第２基板３１との間に、電気泳動素子３２を挟持した構成である。第１基板３０の電気泳動素子３２側に複数の画素電極（セグメント電極；第１電極）３５が形成され、第２基板３１の電気泳動素子３２側には共通電極（第２電極）３７が形成されている。電気泳動素子３２は、電気泳動粒子を内部に封入した複数のマイクロカプセル２０を平面的に配列した構成である。電気泳動表示装置１００は、電気泳動素子３２により形成された画像を共通電極３７側に表示する。
【００３１】
第１基板３０は、ガラスやプラスチック等からなる基板であり、画像表示面とは反対側に配置されるため透明なものでなくてもよい。画素電極３５は、Ｃｕ（銅）箔上にニッケルメッキと金メッキとをこの順番で積層したものや、Ａｌ（アルミニウム）、ＩＴＯ（インジウム・スズ酸化物）などを用いて形成される。
一方、第２基板３１はガラスやプラスチック等からなる基板であり、画像表示側に配置されるため透明基板とされる。共通電極３７は、ＭｇＡｇ（マグネシウム銀）、ＩＴＯ、ＩＺＯ（登録商標；インジウム・亜鉛酸化物）などを用いて形成される透明電極である。
【００３２】
各々の画素電極３５には、画素電極配線６１を介して画素電極駆動回路６０が接続されている。画素電極駆動回路６０には、各々の画素電極配線６１に対応するスイッチング素子６０ｓが設けられており、スイッチング素子６０ｓの動作により画素電極３５に対する電位の入力と電気的切断（ハイインピーダンス化）を行う。
一方、共通電極３７には、共通電極配線６２を介して共通電極駆動回路６４が接続されている。共通電極駆動回路６４には、共通電極配線６２と接続されたスイッチング素子６４ｓが設けられており、スイッチング素子６４ｓの動作により共通電極３７に対する電位の入力と電気的切断（ハイインピーダンス化）を行う。
【００３３】
なお、電気泳動素子３２は、あらかじめ第２基板３１側に形成され、接着剤層３３までを含めた電気泳動シートとして取り扱われるのが一般的である。製造工程において、電気泳動シートは接着剤層３３の表面に保護用の剥離シートが貼り付けられた状態で取り扱われる。そして、別途製造された第１基板３０（画素電極３５などが形成されている）に対して、剥離シートを剥がした当該電気泳動シートを貼り付けることによって、表示部５を形成する。このため、接着剤層３３は画素電極３５側のみに存在することになる。
【００３４】
図２（ｂ）は、マイクロカプセル２０の模式断面図である。マイクロカプセル２０は、例えば３０〜５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、図２に示したように共通電極３７と画素電極３５との間に挟持され、１つの画素４０内に１つ又は複数のマイクロカプセル２０が配置される。
【００３５】
マイクロカプセル２０の外殻部（壁膜）は、ポリメタクリル酸メチル、ポリメタクリル酸エチルなどのアクリル樹脂、ユリア樹脂、アラビアガムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００３６】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６及び白色粒子２７に代えて、例えば赤色、緑色、青色などの顔料を用いてもよい。かかる構成によれば、表示部５に赤色、緑色、青色などを表示することができる。
【００３７】
図３は、電気泳動素子の動作説明図である。図３（ａ）は、画素４０を白表示する場合、図３（ｂ）は、画素４０を黒表示する場合をそれぞれ示している。
図３（ａ）に示す白表示の場合には、共通電極３７が相対的に高電位、画素電極３５が相対的に低電位に保持される。これにより、負に帯電した白色粒子２７が共通電極３７に引き寄せられる一方、正に帯電した黒色粒子２６が画素電極３５に引き寄せられる。その結果、表示面側となる共通電極３７側からこの画素を見ると、白色（Ｗ）が認識される。
図３（ｂ）に示す黒表示の場合、共通電極３７が相対的に低電位、画素電極３５が相対的に高電位に保持される。これにより、正に帯電した黒色粒子２６が共通電極３７に引き寄せられる一方、負に帯電した白色粒子２７が画素電極３５に引き寄せられる。その結果、共通電極３７側からこの画素を見ると黒色（Ｂ）が認識される。
【００３８】
図４は、電気泳動表示装置１００の機能ブロック図である。
電気泳動表示装置１００は、図４に示すように、コントローラー６３と、温度センサー６５と、操作部６６と、インターフェース６７と、電源６８と、駆動回路６９と、を備えている。駆動回路６９は、図１及び図２に示した画素電極駆動回路６０と共通電極駆動回路６４とを含み、表示部５と接続されている。
【００３９】
コントローラー６３は、制御回路７０と、メモリー７１（記憶部）と、タイマー７２と、表示書換回路７３とを備えている。
制御回路７０は電気泳動表示装置１００におけるＣＰＵ（Central Processing Unit）であり、電気泳動表示装置１００の各部の動作を総合的に制御する。制御回路７０は、コントローラー６３の内部でメモリー７１、タイマー７２及び表示書換回路７３と接続されている。さらに制御回路７０には、コントローラー６３の外部に設けられた温度センサー６５（温度検出部）、操作部６６、インターフェース６７、及び電源６８が接続されている。
【００４０】
メモリー７１は、揮発性メモリーであっても不揮発性メモリーであってもよい。揮発性メモリーとしては、例えばＳＲＡＭ（Static Random Access Memory）やＤＲＡＭ（Dynamic Random Access Memory）などを用いることができる。不揮発性メモリーとしては、例えばマスクＲＯＭ（Read Only Memory）やＰＲＯＭ（プログラマブルＲＯＭ）、フラッシュメモリー、ＦｅＲＡＭ（Ferroelectric Random Access Memory）などを用いることができる。
【００４１】
メモリー７１には、温度情報と電気泳動素子３２の駆動波形との対応関係を規定したＬＵＴ(Look up Table)７１ａが記憶されている。また、メモリー７１には、電源オン、オフ時における表示画像パターンなどを定めた所定の画像データや、表示部５を駆動制御するプログラムなどを記憶することもできる。さらに、メモリー７１を温度センサー６５を用いて取得した温度情報や動作時間情報などを保持するワーキングメモリーとして機能させることもできる。
【００４２】
タイマー７２は、独立に、あるいは制御回路７０の制御下で、所望の時間計測を実行する。タイマー７２の構成は特に限定されず、コントローラー６３に内蔵可能な形態のほか、温度センサー６５と同様に独立の装置として搭載されていてもよい。
【００４３】
表示書換回路７３は、インターフェース６７を介して制御回路７０に入力され、制御回路７０から送信された画像データを表示部５の画素４０に表示可能な画像データに変換する。表示書換回路７３において変換された画像データには、各々の画素４０に対応する表示色情報が含まれている。表示書換回路７３で生成された画像データは、駆動回路６９（画素電極駆動回路６０、共通電極駆動回路６４）に送信される。
【００４４】
温度センサー６５は、温度に応じて抵抗値や容量値などの電気量が変化するセンサーであり、検出した温度を制御回路７０に対して送信する。温度センサー６５としては、例えばサーミスターや熱電対などを用いることができる。温度センサー６５から制御回路７０に入力される信号はアナログ検出信号であるから、このアナログ検出信号を符号化された温度情報としてのデータにＡＤ変換するＡＤコンバータを、コントローラー６３又は制御回路７０に内蔵していることが好ましい。
【００４５】
温度センサー６５は、電気泳動表示装置１００に１個又は複数個備えられ、図１及び図２に示した表示部５の温度を測定可能な位置に設けられる。
例えば、図２（ａ）に示した第１基板３０の背面に温度センサー６５を取り付けることができる。また、表示部５の平面積が大きい場合などには、表示部５の中央付近と周縁部の２ヶ所以上に温度センサー６５を取り付けてもよい。複数の温度センサー６５を取り付ける場合に制御回路７０で取得する温度情報としては、複数の温度センサー６５で測定された複数の温度の単純平均値又は加重平均値であってもよいし、複数の温度の最高値であってもよい。
【００４６】
操作部６６は、ユーザーによる動作指示が入力される電気泳動表示装置１００のユーザーインターフェースである。
インターフェース６７は、電気泳動表示装置１００と外部装置（図示略）との接続装置であり、外部装置から入力される画像データや命令を制御回路７０に転送するとともに、制御回路７０から出力される応答信号等を外部装置に転送する。
電源６８は、電気泳動表示装置１００に電力を供給する電池や、外部電源と接続された電源回路である。
駆動回路６９は、表示書換回路７３から入力された画像データに基づいて、各々の画素４０に画像信号を入力する。これにより、各々の画素４０の電気泳動素子３２が駆動され、画像データに規定された画像が表示部５に表示される。
【００４７】
［駆動方法］
次に、上記構成を備えた電気泳動表示装置の駆動方法について説明する。
図５は、電気泳動表示装置の駆動方法を示すフローチャートである。図５に示すように、本実施形態の駆動方法は、温度検出ステップＳＴ１１と、設定情報取得ステップＳＴ１２と、駆動波形設定ステップＳＴ１３と、表示部駆動ステップＳＴ１４とを含む画像表示ステップＳＴ１を有する。
【００４８】
まず、温度検出ステップＳＴ１１では、制御回路７０は、温度センサー６５の出力から温度情報を取得し、現在の環境温度（表示部５の温度）として保持する。かかる温度情報をメモリー７１に設けられた環境温度用の記憶領域（図示略）に記憶させてもよい。その後、設定情報取得ステップＳＴ１２に移行する。
【００４９】
設定情報取得ステップＳＴ１２に移行すると、制御回路７０は、温度検出ステップＳＴ１１で取得した温度情報を用いて、メモリー７１に記憶されているＬＵＴ（Look Up Table）を参照する。制御回路７０は、ＬＵＴ７１ａから環境温度に応じた駆動波形の設定情報を取得する。駆動波形の設定情報は、駆動電圧や電圧印加時間の設定値又は補正値であり、さらに具体的には、パルス幅、パルス数、デューティー比、パルス高さ（電圧振幅）などである。
【００５０】
メモリー７１のＬＵＴ７１ａには、環境温度に係る温度情報と、画素４０を駆動する際に画素電極３５に入力する駆動波形を決定する設定情報とを関連づけたテーブルが保持されている。
図９を参照して先に説明したように、環境温度が上昇すると、白表示と黒表示におけるリーク電力に差異が生じ、環境温度が高くなるほどリーク電力の差が大きくなる。ＬＵＴ７１ａには、このリーク電力の差異を解消するための駆動波形の設定情報が規定されている。
【００５１】
リーク電力は、電気泳動素子３２に対する電圧印加時間のリーク電流値を積分したものであり、リーク電流値又は電圧印加時間を大きくするとリーク電力が大きくなる。また、図９に示したグラフでは、環境温度が高くなるほど黒表示時のリーク電力が大きくなっていた。
したがって本実施形態の場合には、環境温度が高くなるほど白表示時のリーク電力を大きくするか、あるいは黒表示時のリーク電力を小さくするための駆動波形の設定情報（駆動電圧や電圧印加時間の設定値又は補正値）が、ＬＵＴ７１ａに規定されている。
【００５２】
ＬＵＴ７１ａのさらに詳細な構成例としては、以下の（１）〜（５）を挙げることができる。
（構成１）環境温度が高くなるほど、白表示時に画素電極３５に入力するパルス数と黒表示時に画素電極３５に入力するパルス数の差が大きくなるように、環境温度とパルス数との関係が規定された構成（図７（ａ）参照）。
（構成２）環境温度が高くなるほど、白表示時に画素電極３５に入力するパルス幅と黒表示時に画素電極３５に入力するパルス幅の差が大きくなるように、環境温度とパルス幅との関係が規定された構成（図７（ｂ）参照）。
（構成３）環境温度が高くなるほど、白表示時に画素電極３５に入力するパルスのデューティー比と黒表示時に画素電極３５に入力するパルスのデューティー比の差が大きくなるように、環境温度とデューティー比との関係が規定された構成（図８（ａ）参照）。
（構成４）環境温度が高くなるほど、白表示時に画素電極３５に入力するパルス高さと黒表示時に画素電極３５に入力するパルス高さの差が大きくなるように、環境温度とパルス高さとの関係が規定された構成（図８（ｂ）参照）。
（構成５）上記したパルス数、パルス幅、デューティー比、及びパルス高さのうち複数のパラメータを組み合わせた設定値又は補正値と、環境温度との関係が規定された構成。
【００５３】
次に、駆動波形設定ステップＳＴ１３に移行すると、制御回路７０は、取得したパラメーターに基づいて、画素電極３５に入力する駆動波形のパルス幅、パルス数、デューティー比、パルス高さなどを設定する。
そして、表示部駆動ステップＳＴ１４において、制御回路７０は、表示書換回路７３を駆動し、設定された駆動波形を画素電極３５に入力する。これにより、画素電極３５と共通電極３７との電位差に応じて電気泳動素子３２が駆動され、表示部５に画像が表示される。
【００５４】
ここで、駆動波形設定ステップＳＴ１３において設定される駆動波形と、当該駆動波形に基づく表示部駆動ステップＳＴ１４における動作について、図６から図８を参照しつつ説明する。
図６は、以下の説明の対象とする２つの画素４０Ａ、４０Ｂの表示状態の遷移を示す説明図である。図７及び図８は、駆動波形設定ステップＳＴ１３で設定される駆動波形の複数の例を示す図である。
【００５５】
図７及び図８に示す駆動波形は、図６に示す白表示の画素４０Ａと黒表示の画素４０Ｂを、それぞれ黒表示、白表示に移行させる際に画素電極３５Ａ（画素４０Ａ）と画素電極３５Ｂ（画素４０Ｂ）に入力する駆動波形である。そして、図７及び図８の各図には、環境温度が−５℃、７０℃、１１０℃であるときに設定される駆動波形がそれぞれ示されている。
【００５６】
本実施形態の駆動方法では、表示部駆動ステップＳＴ１４において、共通電極３７の電位Ｖcomは０Ｖに固定されており、黒表示する画素４０Ａの画素電極３５Ａに正電位（１５Ｖ）、白表示する画素４０Ｂの画素電極３５Ｂに負電位（−１５Ｖ）を入力することで、画素４０Ａ、４０Ｂをそれぞれ黒表示、白表示させる。
【００５７】
なお、図７及び図８の駆動波形に付した具体的数値（パルス高さの１５Ｖ、−１５Ｖやパルス幅の５０ｎｓ、２００ｎｓなど）は、発明の理解を助けるために付したに過ぎず、本発明の技術的範囲を限定するものではない。
【００５８】
まず、図７（ａ）に示す駆動波形は、先の構成１のＬＵＴ７１ａから取得されるパラメータに基づいて設定される駆動波形である。
図７（ａ）に示す環境温度が−５℃のときの表示部駆動ステップＳＴ１４では、黒表示される画素４０Ａの画素電極３５Ａに入力されるパルス数は５パルスであり、白表示される画素４０Ｂの画素電極３５Ｂに入力されるパルス数も５パルスである。画素電極３５Ａに入力されるパルスのパルス幅及びパルス高さは、画素電極３５Ｂに入力されるパルスのパルス幅及びパルス高さと同一である。
【００５９】
これに対して、環境温度７０℃の条件では、画素電極３５Ａに入力されるパルス数が４パルスとされる一方、画素電極３５Ｂに入力されるパルス数は５パルスのままである。そして、環境温度１１０℃の条件では、画素電極３５Ａに入力されるパルス数が３パルスとされる一方、画素電極３５Ｂに入力されるパルス数は５パルスのままである。
【００６０】
図７（ａ）に示す例では、環境温度が高くなるにしたがって、画素電極３５Ａに入力するパルス数を減少させている。これにより、画素４０Ａの電気泳動素子３２に入力される実効的な電力を小さくすることができ、画素４０Ａのリーク電力（リーク電流値×電圧印加時間）を環境温度が高いほど小さくなるように制御することができる。一方、画素電極３５Ｂに入力する駆動波形は変更しないため、画素４０Ｂのリーク電力の傾向は変化しない。
【００６１】
図９に示したグラフでは、環境温度が高くなるほど黒表示時のリーク電力と白表示時のリーク電力の差が広がっていたが、本実施形態の駆動方法によれば、黒表示時のリーク電力を相対的に小さくし、白表示時のリーク電力に近づけることができる。したがって、本実施形態の駆動方法によれば、高温環境においても電流バランスを維持することができ、共通電極３７の劣化を防止することができる。
【００６２】
図９に示した環境温度とリーク電力の関係は、電気泳動表示装置１００ごとにほぼ同様の傾向を示す。したがって、予めこの環境温度とリーク電力の関係を求め、かかる関係に基づいてＬＵＴ７１ａを構成することで、環境温度に応じて黒表示時のリーク電力と白表示時のリーク電力とをほぼ等しく制御することが可能である。
【００６３】
なお、電気泳動表示装置では、通常、環境温度の変化に伴う電気泳動素子３２や接着剤層３３の特性変化を補償するために、パルス数やパルス高さの調整が行われる。例えば、低温環境では電気泳動粒子が動きにくくなるため、高温環境の場合に比してパルス数を増やしたり、パルス高さを大きくしたりする。本実施形態では、説明の簡単のために、上記した表示動作の温度依存性を補償するための駆動波形調整を行わないこととして、リーク電力を調整する目的でのみ駆動波形を変更することとしている。したがって、実際の駆動方法では、表示動作の温度依存性を補償する調整を行った上で、本実施形態による駆動波形の設定が成されることになる。
【００６４】
次に、図７（ｂ）に示す駆動波形は、先の構成２のＬＵＴ７１ａから取得されるパラメータに基づいて設定される駆動波形である。
図７（ｂ）に示す環境温度が−５℃のときの表示部駆動ステップＳＴ１４では、黒表示される画素４０Ａの画素電極３５Ａに単一パルスが入力されるようになっており、そのパルス幅は２００ｎｓである。また、白表示される画素４０Ｂの画素電極３５Ｂに入力されるパルスも単一パルスであり、そのパルス幅も２００ｎｓである。画素電極３５Ａに入力されるパルスのパルス高さは、環境温度にかかわらず、画素電極３５Ｂに入力されるパルスのパルス高さと同一である。
【００６５】
これに対して、環境温度７０℃の条件では、画素電極３５Ａに入力されるパルスのパルス幅が２００ｎｓに維持される一方、画素電極３５Ｂに入力されるパルスのパルス幅が２５０ｎｓと大きくなっている。そして、環境温度１１０℃の条件では、画素電極３５Ａに入力されるパルスのパルス幅が２００ｎｓに維持される一方、画素電極３５Ｂに入力されるパルスのパルス幅は３００ｎｓとさらに大きくなっている。
【００６６】
図７（ｂ）に示す例では、環境温度が高くなるにしたがって、画素電極３５Ｂに入力するパルスのパルス幅を広くしている。これにより、画素４０Ｂの電気泳動素子３２に入力される実効的な電力を大きくすることができ、画素４０Ｂのリーク電力を環境温度が高いほど大きくなるように制御することができる。一方、画素電極３５Ａに入力する駆動波形は変更しないため、画素４０Ａのリーク電力の傾向は変化しない。
【００６７】
図９に示したグラフでは、環境温度が高くなるほど黒表示時のリーク電力と白表示時のリーク電力の差が広がっていたが、本実施形態の駆動方法によれば、白表示時のリーク電力を相対的に大きくし、黒表示時のリーク電力に近づけることができる。したがって、高温環境においても電流バランスを維持することができ、共通電極３７の劣化を防止することができる。
【００６８】
次に、図８（ａ）に示す駆動波形は、先の構成３のＬＵＴ７１ａから取得されるパラメータに基づいて設定される駆動波形である。
図８（ａ）に示す環境温度が−５℃のときの表示部駆動ステップＳＴ１４では、黒表示される画素４０Ａの画素電極３５Ａに入力されるパルス数は３パルスであり、それらのパルス幅は５０ｎｓ、パルス高さはいずれも１５Ｖである。また、白表示される画素４０Ｂの画素電極３５Ｂに入力されるパルス数も３パルスであり、それらのパルス幅（５０ｎｓ）及びパルス高さ（１５Ｖ）も同一である。
【００６９】
これに対して、環境温度７０℃の条件では、画素電極３５Ａに入力される駆動波形が−５℃の条件と同一である一方、画素電極３５Ｂに入力されるパルスのパルス幅が７５ｎｓとされ、デューティー比が大きくなっている。そして、環境温度１１０℃の条件では、画素電極３５Ａに入力される駆動波形が−５℃の条件と同一である一方、画素電極３５Ｂに入力されるパルスのパルス幅が１００ｎｓとされ、デューティー比がさらに大きくなっている。
【００７０】
図８（ａ）に示す例では、環境温度が高くなるにしたがって、画素電極３５Ｂに入力するパルスのデューティー比を大きくしている。これにより、画素４０Ｂの電気泳動素子３２に入力される実効的な電力を大きくすることができ、画素４０Ｂのリーク電力を環境温度が高いほど大きくなるように制御することができる。一方、画素電極３５Ａに入力する駆動波形は変更しないため、画素４０Ａのリーク電力の傾向は変化しない。
【００７１】
図９に示したグラフでは、環境温度が高くなるほど黒表示時のリーク電力と白表示時のリーク電力の差が広がっていたが、本実施形態の駆動方法によれば、白表示時のリーク電力を相対的に大きくし、黒表示時のリーク電力に近づけることができる。したがって、高温環境においても電流バランスを維持することができ、共通電極３７の劣化を防止することができる。
【００７２】
次に、図８（ｂ）に示す駆動波形は、先の構成４のＬＵＴ７１ａから取得されるパラメータに基づいて設定される駆動波形である。
図８（ｂ）に示す環境温度が−５℃のときの表示部駆動ステップＳＴ１４では、黒表示される画素４０Ａの画素電極３５Ａに単一パルスが入力され、そのパルス幅は２００ｎｓであり、パルス高さは１５Ｖである。また、白表示される画素４０Ｂの画素電極３５Ｂに入力されるパルスも単一パルスであり、そのパルス幅は２００ｎｓであり、パルス高さは１５Ｖである。
【００７３】
これに対して、環境温度７０℃の条件では、画素電極３５Ａに入力されるパルスのパルス幅は２００ｎｓで同一であるが、パルス高さが１０Ｖとされている。一方、画素電極３５Ｂに入力されるパルスのパルス幅（２００ｎｓ）及びパルス高さ（１５Ｖ）は−５℃の条件と同一である。そして、環境温度１１０℃の条件では、画素電極３５Ａに入力されるパルスのパルス高さが７．５Ｖとさらに小さくされる一方、画素電極３５Ｂに入力されるパルスのパルス幅（２００ｎｓ）及びパルス高さ（１５Ｖ）は−５℃の条件と同一である。
【００７４】
図８（ａ）に示す例では、環境温度が高くなるにしたがって、画素電極３５Ａに入力するパルスのパルス高さを小さくしている。これにより、画素４０Ａの電気泳動素子３２に入力される実効的な電力を小さくすることができ、画素４０Ａのリーク電力を環境温度が高いほど小さくなるように制御することができる。一方、画素電極３５Ｂに入力する駆動波形は変更しないため、画素４０Ｂのリーク電力の傾向は変化しない。
【００７５】
図９に示したグラフでは、環境温度が高くなるほど黒表示時のリーク電力と白表示時のリーク電力の差が広がっていたが、本実施形態の駆動方法によれば、黒表示時のリーク電力を相対的に小さくし、白表示時のリーク電力に近づけることができる。したがって、高温環境においても電流バランスを維持することができ、共通電極３７の劣化を防止することができる。
【００７６】
以上、詳細に説明したように、本実施形態の電気泳動表示装置の駆動方法では、環境温度の変化を検出し、検出された環境温度に基づいて、黒表示時に画素電極３５に入力する駆動波形と、白表示時に画素電極３５に入力する駆動波形とを、ＬＵＴ７１ａに規定された設定値又は補正値に基づいて設定する。このような駆動方法を採用することで、図９に示した高温環境におけるリーク電力の差異を補償することができる。したがって、環境温度が変化したとしても電流バランスを良好に維持することができ、電極の劣化が生じるのを効果的に防止することができる。
【００７７】
（変形例１）
なお、上記実施の形態では、駆動波形の設定情報をＬＵＴ７１ａに保持している構成について説明したが、ＬＵＴ７１ａに変えて、同様の設定情報を演算により算出する演算部（演算回路）を備えていてもよいのはもちろんである。演算式を用いて駆動波形の設定情報を算出する手法によれば、駆動波形の調整をより高精度に行うことができ、黒表示時と白表示時のリーク電力の差異をさらに小さくすることも可能である。
【００７８】
（変形例２）
上記実施の形態では、温度センサー６５で検出された環境温度に基づいてＬＵＴ７１ａを参照し、取得した設定情報に基づいて駆動波形を設定することとしたが、図４に示すように、表示動作時に表示部５に流れる電流を検出する電流検出部７５を備えた構成とすることもできる。つまり、環境温度の変化に伴って変化するリーク電流値を、電流検出部７５によって直接検出し、検出したリーク電流値に基づいて駆動波形を調整する構成とすることもできる。電流検出部７５は、表示部５及び制御回路７０に接続されており、表示部５の全体又は特定の一部領域において画素電極３５と共通電極３７との間に流れる電流を検出する。
【００７９】
この場合には、ＬＵＴ７１ａには、黒表示時のリーク電流値と白表示時のリーク電流値を等しくするための駆動波形の設定情報が規定される。あるいは、リーク電流値をフィードバックしながら駆動電圧や電圧印加時間を調整し、白黒表示時のリーク電流値を等しくするように制御することもできる。
【００８０】
（変形例３）
さらに、上記実施形態では、環境温度の変化に対応して駆動波形を変更する駆動方法としたが、黒表示時の駆動波形と、白表示時の駆動波形とを常に異ならせることとしてもよい。例えば、黒表示時の駆動波形を、常に図７（ａ）の環境温度７０℃の条件（４パルス）とし、白表示時の駆動波形を、常に図７（ｂ）の環境温度７０℃の条件（５パルス）とする。同様に、図７（ｂ）や図８に示した構成を採用してもよい。
【００８１】
このような駆動方法とした場合には、環境温度によらず黒表示時のリーク電力が低くなるので、図９に示した７０℃近傍では、環境温度を監視していなくても黒表示時と白表示時のリーク電力をほぼ等しくすることができる。したがって、使用環境の温度が予め想定できる場合には、簡素な構成で信頼性に優れた電気泳動表示装置を構成できる。
【００８２】
ただし、駆動波形を固定した場合、環境温度によってはリーク電力の差異が解消できず、電極の劣化が進行してしまうおそれがある。そこで、本例のように駆動波形を固定する場合には、黒表示時のリーク電力よりも白表示時のリーク電力が大きくなるように駆動波形を設定することが好ましい。
【００８３】
図９に示したグラフでは、黒表示時のリーク電力が大きくなっているため、画素電極３５から共通電極３７に流れ込む電流が多くなっている。この電流条件では、共通電極３７を構成するＩＴＯ等の透明導電材料が還元作用を受けて劣化しやすくなる。これに対して、上記のように白表示時のリーク電力が大きくなるように駆動波形を設定することで、共通電極３７における還元反応を抑えることができるので、共通電極３７の劣化を抑えることができる。
【００８４】
以下、図１４から図１６を参照しつつ、変形例３についてさらに詳細に説明する。
図１４は、本変形例の駆動方法を適用した場合における白表示時及び黒表示時のリーク電力と環境温度との関係を示す説明図である。図１５は、本変形例の駆動方法における入力波形の複数の態様を示す図である。図１６は、本変形例の駆動方法を適用した場合における白表示時及び黒表示時の入力電力と温度の関係を示す説明図である。
【００８５】
図１４に示すように、電気泳動表示装置では、環境温度の変化に対するリーク電力の変化幅が、白表示の場合（曲線Ｃｗ１）と黒表示の場合（曲線Ｃｂ）とで異なっており、入力電力が等しい場合、環境温度が高くなるほど黒表示のリーク電力が白表示のリーク電力よりも大きくなる。なお、図１４では説明のために曲線Ｃｂと曲線Ｃｗ１との差異を大きく表示している。
【００８６】
そして、図示のように黒表示のリーク電力が相対的に大きい場合には、共通電極３７の劣化が進行しやすくなる。そこで本変形例の駆動方法では、図１４に示すように、設定された温度範囲（Ｔｍｉｎ〜Ｔｍａｘ）で白表示時のリーク電力が黒表示時のリーク電力を上回るように、電気泳動素子３２への入力電力を調整している。具体的には、白表示時のリーク電力の特性が曲線Ｃｗ１から曲線Ｃｗ２になるように入力電力を変更し、上限温度Ｔｍａｘ以下の温度範囲において、常に白表示時のリーク電力が黒表示時のリーク電力を上回るようにする。
【００８７】
上限温度Ｔｍａｘは、電気泳動表示装置の用途に応じて決定される使用環境温度範囲の上限値である。例えば、車載用途に用いられる電気泳動表示装置ではＴｍａｘは８０℃〜１２５℃の範囲に設定され、電子機器の表示部に用いられる電子ペーパー用途であればＴｍａｘは６０〜８０℃の範囲に設定される。
そして、図１４に示すように、設定された上限温度Ｔｍａｘにおける白表示時のリーク電力Ｐ１（曲線Ｃｗ１）と黒表示時のリーク電力Ｐ２（曲線Ｃｂ）との比率（Ｐ２／Ｐ１）から白表示時のリーク電力の調整係数ｋを算出し、電気泳動素子３２への入力電力を調整する。
【００８８】
入力電力の調整は、先の実施形態と同様に、電極に入力するパルス数、パルス幅、デューティ比、パルス高さ、及びこれらの組み合わせによって行うことができる。
図１５（ａ）は、画素電極３５Ａに対する入力波形と画素電極３５Ｂに対する入力波形とをパルス数によって異ならせる場合を示す図である。かかる構成では、表示部駆動ステップＳＴ１４において画素電極３５Ａに入力されるパルス数ｎ１と画素電極３５Ｂに入力されるパルス数ｎ２とが、リーク電力から算出される係数ｋを用いて、ｎ２＝ｋ・ｎ１なる関係を満たすように設定される。なお、画素電極３５Ａ、３５Ｂに入力される波形におけるパルスのパルス幅、デューティ比、及びパルス高さは同一である。
【００８９】
図１５（ｂ）は、画素電極３５Ａに対する入力波形と画素電極３５Ｂに対する入力波形とをパルス幅によって異ならせる場合を示す図である。かかる構成では、表示部駆動ステップＳＴ１４において画素電極３５Ａに入力されるパルス幅ｔ１と画素電極３５Ｂに入力されるパルス数ｔ２とが、リーク電力から算出される係数ｋを用いて、ｔ２＝ｋ・ｔ１なる関係を満たすように設定される。なお、画素電極３５Ａ、３５Ｂに入力される波形におけるパルス数、デューティ比、及びパルス高さは同一である。
【００９０】
図１５（ｃ）は、画素電極３５Ａに対する入力波形と画素電極３５Ｂに対する入力波形とをデューティ比によって異ならせる場合を示す図である。かかる構成では、表示部駆動ステップＳＴ１４において画素電極３５Ａに入力されるパルスのデューティ比ｒ１（＝ｔ１／ｔ）と画素電極３５Ｂに入力されるパルスのデューティ比ｒ２（＝ｔ２／ｔ）とが、リーク電力から算出される係数ｋを用いて、ｒ２＝ｋ・ｒ１なる関係を満たすように設定される。なお、画素電極３５Ａ、３５Ｂに入力される波形におけるパルス数、パルス幅、及びパルス高さは同一である。
【００９１】
図１５（ｄ）は、画素電極３５Ａに対する入力波形と画素電極３５Ｂに対する入力波形とをパルス高さによって異ならせる場合を示す図である。かかる構成では、表示部駆動ステップＳＴ１４において画素電極３５Ａに入力されるパルスのパルス高さＶ１と画素電極３５Ｂに入力されるパルスのパルス高さＶ２とが、リーク電力から算出される係数ｋを用いて、Ｖ２＝ｋ・Ｖ１なる関係を満たすように設定される。なお、画素電極３５Ａ、３５Ｂに入力される波形におけるパルス数、パルス幅、及びデューティ比は同一である。
【００９２】
ここで、先の実施形態では、白表示時の入力電力と黒表示時の入力電力との比率を環境温度の変化に応じて異ならせることとしていたが、本変形例では、白表示時の入力電力と黒表示時の入力電力との比率は、環境温度によらず一定（係数ｋ）である。したがって、白表示時の入力電力は、環境温度毎に用意する必要はなく、図１５に示したように黒表示時の入力波形に対する演算処理によって取得することができる。あるいは、黒表示時の入力波形から予め算出した入力波形をＬＵＴ７１ａに記憶しておいてもよい。
【００９３】
ところで、電気泳動表示装置では、電気泳動素子３２における電気泳動粒子（黒色粒子２６、白色粒子２７）の移動速度（動きやすさ）が環境温度によって大きく変動するため、環境温度の変化に合わせて画素電極３５への入力電力を変化させる制御が成される。例えば、図１６に示すように、環境温度が高くなるほど入力電力が小さくなるように入力波形（パルス数、パルス幅、デューティ比、パルス高さ等）が調整される。これは、温度が高くなると電気泳動素子３２に含まれる分散媒の粘度が低下する等の理由により電気泳動粒子が動きやすくなるためである。
本変形例の駆動方法では、黒表示時の入力電力と白表示時の入力電力とをリーク電力に基づいて算出した一定の比率（係数ｋ）となるように調整するため、図１６に示すように、黒表示時の入力電力（Ｐｂ）と、白表示時の入力電力（Ｐｗ）とが、Ｐｗ＝ｋ・Ｐｂなる式を満たすように設定される。
【００９４】
図１６に示す黒表示時の入力電力値は、電気泳動素子３２の温度特性に基づいて予め設定され、ＬＵＴ７１ａ等に記憶されている。したがって、本変形例の駆動方法を実施する際には、ＬＵＴ７１ａに記憶されている黒表示時の入力電力値に対して、係数ｋを用いた演算処理を行うことで、容易に白表示時の入力電力値を算出することができる。
【００９５】
以上に説明した本変形例の駆動方法によれば、上限温度Ｔｍａｘにおける白表示時と黒表示時のリーク電力を揃えられる係数ｋを算出し、かかる係数ｋにより設定した比率となるように黒表示時の入力電力と白表示時の入力電力とを設定する。これにより、図１４に示したように、下限温度Ｔｍｉｎから上限温度Ｔｍａｘの全域で白表示のリーク電力が黒表示のリーク電力を上回るようにすることができる。これにより、使用される温度環境において、共通電極３７の劣化を引き起こす還元反応が生じるのを防止することができる。
【００９６】
また本変形例の場合、白表示時の入力電力と黒表示時の入力電力との比率を、環境温度によらず一定の比率（係数ｋ）とするので、先の実施形態のように、環境温度に応じて白表示時の入力電力と黒表示時の入力電力の比率を変動させる場合に比して容易に制御できるという利点がある。特に、電気泳動表示装置では、通常電気泳動素子３２の温度特性を補償するための入力電力制御が成されるため、先の実施形態のようにリーク電力制御も同時に行おうとすると制御が煩雑になる。これに対して本変形例の場合には、温度特性を補償するための入力電力値は黒表示のもののみを管理し、白表示の入力電力値は表示の入力電力値を用いた演算処理により算出することができるため、信頼性に優れた駆動方法を簡便に実現できる。
【００９７】
なお、本変形例の駆動方法では、図１４に示したように、白表示時のリーク電力が黒表示時のリーク電力を上回るように電気泳動素子３２に電力が入力されるため、白表示における書き込みが強くなる。しかし、焼き付いた場合に目立って視認されるのは黒色粒子２６であり、本変形例では黒表示の書き込みが弱くなるため、焼き付きはむしろ発生しにくくなる。
また、白色粒子２７の粒径が、黒色粒子２６（カーボン粒子）の粒径より大きい場合には、相対的に白色粒子２７の方が動きにくい。この点、本変形例では白表示における入力電力が大きく設定されるため、白色粒子２７が動きやするなり、白表示の応答性を改善することができる。
【００９８】
なお、以上の実施の形態は、黒表示時のリーク電力が白表示時のリーク電力より大きい場合を例として説明したが、白表示時のリーク電力が黒表示時のリーク電力より大きくなる場合もある。黒表示時、白表示時のリーク電力の大小関係は、黒色粒子２６、白色粒子２７の材料、粒径、質量、電荷、分散媒の特性、温度等、種々の要因によって定まるものであり、これらに応じて、黒表示時、白表示時の一方のリーク電力が大きくなる。白表示時のリーク電力が相対的に大きくなる条件においては、駆動電圧と電圧印加時間の少なくとも一方を調整して、白表示時のリーク電力を相対的に小さくし、黒表示時のリーク電力に近づけるようにすればよい。具体的には、上記実施形態において駆動電圧（振幅）、印加時間（パルス幅）、パルス数等を、白表示時と黒表示時との間で入れ替える態様とすることができる。
また、白表示時（明表示時）と黒表示時（暗表示時）とでリーク電力のバランスが崩れることに起因して電極が還元される課題は、電気泳動素子を挟む電極の一方にＩＴＯ等の還元されやすい材料を用いている電気泳動表示装置全般に生じうるものである。したがって、電気泳動表示装置の構成としては、上記実施形態のようにマイクロカプセル２０内に黒色粒子２６及び白色粒子２７を分散させた構成に限られず、隔壁で仕切られた領域内に電気泳動粒子を分散させる構成等、種々の構成とすることができる。
また、上記実施の形態では、セグメント方式の電気泳動表示装置を例示して説明したが、アクティブマトリクス方式の電気泳動表示装置に適用した場合であっても、同様の作用効果が得られるのはもちろんである。
【００９９】
（電子機器）
次に、上記実施形態の電気泳動表示装置１００を、電子機器に適用した場合について説明する。
図１１は、腕時計１０００の正面図である。腕時計１０００は、時計ケース１００２と、時計ケース１００２に連結された一対のバンド１００３とを備えている。
時計ケース１００２の正面には、上記実施形態の電気泳動表示装置１００からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【０１００】
図１２は電子ペーパー１１００の構成を示す斜視図である。電子ペーパー１１００は、上記実施形態の電気泳動表示装置１００を表示領域１１０１に備えている。電子ペーパー１１００は可撓性を有し、従来の紙と同様の質感及び柔軟性を有する書き換え可能なシートからなる本体１１０２を備えて構成されている。
【０１０１】
図１３は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【０１０２】
以上の腕時計１０００、電子ペーパー１１００、及び電子ノート１２００によれば、本発明に係る電気泳動表示装置１００が採用されているので、信頼性に優れた表示手段を備えた電子機器となる。
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【符号の説明】
【０１０３】
１００  電気泳動表示装置、５  表示部、３２  電気泳動素子、３５，３５Ａ，３５Ｂ  画素電極（第１電極）、３７  共通電極（第２電極）、４０，４０Ａ，４０Ｂ  画素、６０  画素電極駆動回路、６３  コントローラー（制御部）、６５  温度センサー（温度検出部）、７５  電流検出部
【図１】
2010204628.tif 000003
【図２】
2010204628.tif 000004
【図３】
2010204628.tif 000005
【図４】
2010204628.tif 000006
【図５】
2010204628.tif 000007
【図６】
2010204628.tif 000008
【図７】
2010204628.tif 000009
【図８】
2010204628.tif 000010
【図９】
2010204628.tif 000011
【図１０】
2010204628.tif 000012
【図１１】
2010204628.tif 000013
【図１２】
2010204628.tif 000014
【図１３】
2010204628.tif 000015
【図１４】
2010204628.tif 000016
【図１５】
2010204628.tif 000017
【図１６】
2010204628.tif 000018